(57)【要約】【課題】  画像形成装置がサーバーと直接通信可能でなくてもサーバーから画像形成装置にフォントをダウンロードすることができる画像形成システムおよび画像形成装置を提供する。【解決手段】  印刷に使用するフォントを記憶するとともに、記憶しているフォントを示すＷｅｂページを提供するＭＦＰと、Ｗｅｂページを表示する携帯機器とを備え、Ｗｅｂページは、ＭＦＰによって記憶されていないフォントをサーバーからダウンロードするための指示を受け付けるダウンロードボタンを含み、携帯機器は、ダウンロードボタンによって指示が受け付けられた場合（Ｓ１１６）にサーバーからＭＦＰにフォントをダウンロードし（Ｓ１１９）、ＭＦＰは、Ｓ１１９においてダウンロードされて携帯機器からＭＦＰに送信されてきたフォントを記憶することを特徴とする。【選択図】  図９
2017084053.tif 000002
【特許請求の範囲】
【請求項１】
印刷に使用するフォントを記憶するフォント記憶手段と、
前記フォント記憶手段によって記憶されている前記フォントを示すＷｅｂページを提供するＷｅｂページ提供手段とを備える画像形成装置と、
前記Ｗｅｂページを表示するＷｅｂページ表示手段を備える電子機器とを備え、
前記Ｗｅｂページは、前記フォント記憶手段によって記憶されていない前記フォントをサーバーからダウンロードするための指示を受け付ける指示受付部を含み、
前記電子機器は、
前記指示受付部に対する指示が入力される指示入力手段と、
前記指示入力手段によって前記指示受付部に対する指示が入力された場合に前記サーバーから前記画像形成装置に前記フォントをダウンロードするフォントダウンロード手段とを備え、
前記フォント記憶手段は、前記フォントダウンロード手段によってダウンロードされて前記電子機器から前記画像形成装置に送信されてきた前記フォントを記憶することを特徴とする画像形成システム。
【請求項２】
前記画像形成装置は、前記Ｗｅｂページのアドレスを示すアドレス情報を表示するアドレス情報表示手段を備え、
前記電子機器は、前記画像形成装置によって表示された前記アドレス情報を読み取って前記アドレスを取得するアドレス取得手段を備え、
前記Ｗｅｂページ表示手段は、前記アドレス取得手段によって取得された前記アドレスに基づいて前記Ｗｅｂページを表示することを特徴とする請求項１に記載の画像形成システム。
【請求項３】
前記電子機器は、携帯機器であることを特徴とする請求項１または請求項２に記載の画像形成システム。
【請求項４】
印刷に使用するフォントを記憶するフォント記憶手段と、
前記フォント記憶手段によって記憶されている前記フォントを示すＷｅｂページを提供するＷｅｂページ提供手段とを備える画像形成装置であって、
前記Ｗｅｂページは、前記フォント記憶手段によって記憶されていない前記フォントをサーバーからダウンロードするための指示を受け付ける指示受付部を含み、
前記画像形成装置は、前記指示受付部によって指示が受け付けられたことが前記Ｗｅｂページを表示している電子機器から通知されてきた場合に、前記サーバーから前記フォントを前記電子機器にダウンロードさせ、
前記フォント記憶手段は、前記電子機器によって前記サーバーからダウンロードされて前記電子機器から送信されてきた前記フォントを記憶することを特徴とする画像形成装置。
【発明の詳細な説明】
【技術分野】
【０００１】
本発明は、フォントを使用して印刷を実行する画像形成システムおよび画像形成装置に関する。
【背景技術】
【０００２】
印刷データ内で使用されているフォントの少なくとも一部を記憶していない画像形成装置がこの印刷データに基づいて印刷を実行する場合、印刷データ内で使用されているフォントのうち、画像形成装置によって記憶されていないフォントが無視されて印刷されたり、代替のフォントに置き換えられて印刷されたりするなど、印刷物の品質が低下する可能性がある。そこで、従来、サーバーからフォントをダウンロードする画像形成装置が知られている（例えば、特許文献１参照。）。
【先行技術文献】
【特許文献】
【０００３】
【特許文献１】特開２０１３−２２１９５８号公報
【発明の概要】
【発明が解決しようとする課題】
【０００４】
しかしながら、従来の画像形成装置においては、サーバーと通信可能に構成されていなければならないという問題がある。
【０００５】
そこで、本発明は、画像形成装置がサーバーと直接通信可能でなくてもサーバーから画像形成装置にフォントをダウンロードすることができる画像形成システムおよび画像形成装置を提供することを目的とする。
【課題を解決するための手段】
【０００６】
本発明の画像形成システムは、印刷に使用するフォントを記憶するフォント記憶手段と、前記フォント記憶手段によって記憶されている前記フォントを示すＷｅｂページを提供するＷｅｂページ提供手段とを備える画像形成装置と、前記Ｗｅｂページを表示するＷｅｂページ表示手段を備える電子機器とを備え、前記Ｗｅｂページは、前記フォント記憶手段によって記憶されていない前記フォントをサーバーからダウンロードするための指示を受け付ける指示受付部を含み、前記電子機器は、前記指示受付部に対する指示が入力される指示入力手段と、前記指示入力手段によって前記指示受付部に対する指示が入力された場合に前記サーバーから前記画像形成装置に前記フォントをダウンロードするフォントダウンロード手段とを備え、前記フォント記憶手段は、前記フォントダウンロード手段によってダウンロードされて前記電子機器から前記画像形成装置に送信されてきた前記フォントを記憶することを特徴とする。
【０００７】
この構成により、本発明の画像形成システムは、電子機器に入力された指示に応じてサーバーから電子機器を介して画像形成装置にフォントをダウンロードすることができるので、画像形成装置がサーバーと直接通信可能でなくてもサーバーから画像形成装置にフォントをダウンロードすることができる。
【０００８】
また、本発明の画像形成システムにおいて、前記画像形成装置は、前記Ｗｅｂページのアドレスを示すアドレス情報を表示するアドレス情報表示手段を備え、前記電子機器は、前記画像形成装置によって表示された前記アドレス情報を読み取って前記アドレスを取得するアドレス取得手段を備え、前記Ｗｅｂページ表示手段は、前記アドレス取得手段によって取得された前記アドレスに基づいて前記Ｗｅｂページを表示しても良い。
【０００９】
この構成により、本発明の画像形成システムは、画像形成装置のＷｅｂページのアドレスを電子機器に利用者が直接入力する必要がないので、サーバーから画像形成装置にフォントを容易にダウンロードすることができる。
【００１０】
また、本発明の画像形成システムにおいて、前記電子機器は、携帯機器であっても良い。
【００１１】
この構成により、本発明の画像形成システムは、複数の画像形成装置のそれぞれに対して電子機器が移動させられることによって、複数の画像形成装置にサーバーからフォントを容易にダウンロードすることができる。
【００１２】
本発明の画像形成装置は、印刷に使用するフォントを記憶するフォント記憶手段と、前記フォント記憶手段によって記憶されている前記フォントを示すＷｅｂページを提供するＷｅｂページ提供手段とを備える画像形成装置であって、前記Ｗｅｂページは、前記フォント記憶手段によって記憶されていない前記フォントをサーバーからダウンロードするための指示を受け付ける指示受付部を含み、前記画像形成装置は、前記指示受付部によって指示が受け付けられたことが前記Ｗｅｂページを表示している電子機器から通知されてきた場合に、前記サーバーから前記フォントを前記電子機器にダウンロードさせ、前記フォント記憶手段は、前記電子機器によって前記サーバーからダウンロードされて前記電子機器から送信されてきた前記フォントを記憶することを特徴とする。
【００１３】
この構成により、本発明の画像形成装置は、電子機器に入力された指示に応じてサーバーから電子機器を介してフォントをダウンロードすることができるので、サーバーと直接通信可能でなくてもサーバーからフォントをダウンロードすることができる。
【発明の効果】
【００１４】
本発明の画像形成システムおよび画像形成装置は、画像形成装置がサーバーと直接通信可能でなくてもサーバーから画像形成装置にフォントをダウンロードすることができる。
【図面の簡単な説明】
【００１５】
【図１】本発明の一実施の形態に係る画像形成システムのブロック図である。
【図２】図１に示すＭＦＰのブロック図である。
【図３】図２に示すＷｅｂページのトップ画面の一例を示す図である。
【図４】図１に示す携帯機器のブロック図である。
【図５】図１に示すサーバーのブロック図である。
【図６】図２に示す表示部に表示される基本的な画面の一例を示す図である。
【図７】Ｗｅｂページのトップ画面のＵＲＬを示す二次元コードを表示する場合の図２に示すＭＦＰの動作のフローチャートである。
【図８】図７に示す二次元コードを含む画面の一例を示す図である。
【図９】Ｗｅｂページを表示する場合の図４に示す携帯機器の動作のフローチャートである。
【図１０】図４に示す表示部に表示されるＵＲＬの一例を示す図である。
【図１１】携帯機器からフォントのダウンロードの開始が指示された場合の図２に示すＭＦＰの動作のフローチャートである。
【図１２】ＭＦＰからフォントのダウンロードが命令された場合の図５に示すサーバーの動作のフローチャートである。
【図１３】サーバーから送信されたデータを受信した場合の図２に示すＭＦＰの動作のフローチャートである。
【発明を実施するための形態】
【００１６】
以下、本発明の実施の形態について、図面を用いて説明する。
【００１７】
まず、本実施の形態に係る画像形成システムの構成について説明する。
【００１８】
図１は、本実施の形態に係る画像形成システム１０のブロック図である。
【００１９】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０と、電子機器としてのスマートフォンなどの携帯機器３０と、フォントを提供するサーバー４０とを備えている。
【００２０】
ＭＦＰ２０と、携帯機器３０とは、ＵＳＢ（Ｕｎｉｖｅｒｓａｌ  Ｓｅｒｉａｌ  Ｂｕｓ）ケーブル１１を介して互いに通信可能である。携帯機器３０と、サーバー４０とは、ＬＡＮ（Ｌｏｃａｌ  Ａｒｅａ  Ｎｅｔｗｏｒｋ）、インターネットなどのネットワーク１２を介して互いに通信可能である。
【００２１】
ＭＦＰ２０と、サーバー４０とは、携帯機器３０を介さずに直接通信可能ではない。
【００２２】
図２は、ＭＦＰ２０のブロック図である。
【００２３】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙などの記録媒体に印刷を実行する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ、インターネットなどのネットワーク経由で外部の装置と通信を行う通信デバイスであるネットワーク通信部２６と、ＵＳＢケーブル１１（図１参照。）経由で外部の装置と通信を行う通信デバイスであるＵＳＢ通信部２７と、各種のデータを記憶している半導体メモリー、ＨＤＤ（Ｈａｒｄ  Ｄｉｓｋ  Ｄｒｉｖｅ）などの不揮発性の記憶デバイスである記憶部２８と、ＭＦＰ２０全体を制御する制御部２９とを備えている。
【００２４】
記憶部２８は、プリンター２３による印刷に使用するフォント２８ａを複数記憶することが可能である。
【００２５】
記憶部２８は、記憶部２８に記憶されているフォント２８ａの情報を含むフォント情報データベース２８ｂを記憶している。
【００２６】
記憶部２８は、記憶部２８に記憶されているフォント２８ａを示すＷｅｂページ２８ｃを記憶している。すなわち、Ｗｅｂページ２８ｃは、フォント情報データベース２８ｂの内容を表示するためのＷｅｂページである。
【００２７】
記憶部２８は、プリンター２３による印刷に使用するフォント２８ａを管理するフォント管理プログラム２８ｄを記憶している。フォント管理プログラム２８ｄは、ＭＦＰ２０の製造段階でＭＦＰ２０にインストールされていても良いし、ＳＤカード、ＵＳＢメモリーなどの記憶媒体からＭＦＰ２０に追加でインストールされても良いし、ネットワーク上からＭＦＰ２０に追加でインストールされても良い。
【００２８】
制御部２９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２９のＣＰＵの作業領域として用いられるＲＡＭ（Ｒａｎｄｏｍ  Ａｃｃｅｓｓ  Ｍｅｍｏｒｙ）とを備えている。制御部２９のＣＰＵは、制御部２９のＲＯＭまたは記憶部２８に記憶されているプログラムを実行する。
【００２９】
制御部２９は、記憶部２８に記憶されているフォント管理プログラム２８ｄを実行することによって、印刷に使用するフォント２８ａを記憶部２８に記憶するフォント記憶手段２９ａ、Ｗｅｂページ２８ｃを提供するＷｅｂページ提供手段２９ｂ、および、Ｗｅｂページ２８ｃのアドレスとしてのＵＲＬ（Ｕｎｉｆｏｒｍ  Ｒｅｓｏｕｒｃｅ  Ｌｏｃａｔｏｒ）を示すアドレス情報としての二次元コードを表示するアドレス情報表示手段２９ｃとして機能する。
【００３０】
図３は、Ｗｅｂページ２８ｃのトップ画面５０の一例を示す図である。
【００３１】
図３に示すように、トップ画面５０は、フォントのフォント名の領域５１と、フォントのサポート状況の領域５２とを含んでおり、フォント毎にフォント名およびサポート状況が表示される。図３に示す例では、フォント名「Ｃｏｕｒｉｅｒ」のフォントは、ＭＦＰ２０にサポートされている、すなわち、記憶部２８にフォント２８ａとして記憶されている、ということが示されている。同様に、フォント名「Ｃｅｎｔｕｒｙ」のフォントは、ＭＦＰ２０にサポートされている、すなわち、記憶部２８にフォント２８ａとして記憶されている、ということが示されている。一方、フォント名「Ａｒｉａｌ」のフォントは、ＭＦＰ２０にサポートされていない、すなわち、記憶部２８にフォント２８ａとして記憶されていない、ということが示されている。
【００３２】
トップ画面５０は、記憶部２８に記憶されていないフォントをサーバー４０からダウンロードするための指示を受け付ける指示受付部としてのダウンロードボタン５３を含んでいる。図３に示す例では、ＭＦＰ２０にサポートされていないフォント名「Ａｒｉａｌ」のフォントに対応付けてダウンロードボタン５３が配置されている。なお、ＭＦＰ２０にサポートされているフォントに対しては図３に示すようにダウンロードボタン５３が配置されないようにしても良いし、グレーアウトされるなどして操作不可能な状態のダウンロードボタン５３が配置されていても良い。
【００３３】
トップ画面５０は、Ｗｅｂページ２８ｃを閉じるためのボタン５４を含んでいる。
【００３４】
図４は、携帯機器３０のブロック図である。
【００３５】
図４に示すように、携帯機器３０は、種々の操作が入力されるボタンなどの入力デバイスである操作部３１と、種々の情報を表示するＬＣＤなどの表示デバイスである表示部３２と、カメラ３３と、ネットワーク１２（図１参照。）経由で外部の装置と通信を行う通信デバイスであるネットワーク通信部３４と、ＵＳＢケーブル１１（図１参照。）経由で外部の装置と通信を行う通信デバイスであるＵＳＢ通信部３５と、各種のデータを記憶している半導体メモリーなどの不揮発性の記憶デバイスである記憶部３６と、携帯機器３０全体を制御する制御部３７とを備えている。
【００３６】
記憶部３６は、ＭＦＰ２０（図１参照。）に記憶されているフォントを確認するためのフォント確認プログラム３６ａを記憶している。フォント確認プログラム３６ａは、ＭＦＰ２０と通信するための専用のアプリケーションである。フォント確認プログラム３６ａは、携帯機器３０の製造段階で携帯機器３０にインストールされていても良いし、ＳＤカード、ＵＳＢメモリーなどの記憶媒体から携帯機器３０に追加でインストールされても良いし、ネットワーク１２上から携帯機器３０に追加でインストールされても良い。
【００３７】
制御部３７は、例えば、ＣＰＵと、各種のデータを記憶しているＲＯＭと、制御部３７のＣＰＵの作業領域として用いられるＲＡＭとを備えている。制御部３７のＣＰＵは、制御部３７のＲＯＭまたは記憶部３６に記憶されているプログラムを実行する。
【００３８】
制御部３７は、記憶部３６に記憶されているフォント確認プログラム３６ａを実行することによって、ＭＦＰ２０によって表示された二次元コードを読み取ってＵＲＬを取得するアドレス取得手段３７ａ、Ｗｅｂページ２８ｃ（図３参照。）を表示するＷｅｂページ表示手段３７ｂ、Ｗｅｂページ２８ｃにおけるダウンロードボタン５３（図３参照。）に対する指示、すなわち、フォントのダウンロードの指示が入力される指示入力手段３７ｃ、および、ダウンロードボタン５３によってフォントのダウンロードの指示が受け付けられた場合にサーバー４０（図１参照。）からＭＦＰ２０にフォントをダウンロードするフォントダウンロード手段３７ｄとして機能する。
【００３９】
図５は、サーバー４０のブロック図である。
【００４０】
図５に示すように、サーバー４０は、種々の操作が入力されるマウス、キーボードなどの入力デバイスである操作部４１と、種々の情報を表示するＬＣＤなどの表示デバイスである表示部４２と、ネットワーク１２（図１参照。）経由で外部の装置と通信を行う通信デバイスであるネットワーク通信部４３と、各種のデータを記憶しているＨＤＤなどの不揮発性の記憶デバイスである記憶部４４と、サーバー４０全体を制御する制御部４５とを備えている。
【００４１】
記憶部４４は、ＭＦＰ２０（図１参照。）に記憶されていないフォント４４ａを複数記憶している。
【００４２】
制御部４５は、例えば、ＣＰＵと、各種のデータを記憶しているＲＯＭと、制御部４５のＣＰＵの作業領域として用いられるＲＡＭとを備えている。制御部４５のＣＰＵは、制御部４５のＲＯＭまたは記憶部４４に記憶されているプログラムを実行する。
【００４３】
次に、画像形成システム１０の動作について説明する。
【００４４】
まず、記憶部２８に記憶されているフォント２８ａを示すＷｅｂページ２８ｃのトップ画面５０のＵＲＬを示す二次元コードを表示する場合のＭＦＰ２０の動作について説明する。
【００４５】
図６は、ＭＦＰ２０の表示部２２に表示される基本的な画面６０の一例を示す図である。
【００４６】
ＭＦＰ２０の制御部２９は、起動直後などの場合、基本的には図６に示す画面６０を表示部２２に表示する。
【００４７】
図６に示す画面６０は、各種の設定をするためのボタン６１と、記憶部２８に記憶されているフォント２８ａを示すＷｅｂページ２８ｃのトップ画面５０のＵＲＬを示す二次元コードを表示するためのボタン６２とを含んでいる。
【００４８】
ＭＦＰ２０のアドレス情報表示手段２９ｃは、操作部２１を介してボタン６２が押されると、図７に示す動作を実行する。
【００４９】
図７は、記憶部２８に記憶されているフォント２８ａを示すＷｅｂページ２８ｃのトップ画面５０のＵＲＬを示す二次元コードを表示する場合のＭＦＰ２０の動作のフローチャートである。
【００５０】
図７に示すように、アドレス情報表示手段２９ｃは、図８に示す二次元コード７１を含む画面７０を表示部２２に表示する（Ｓ１０１）。
【００５１】
図８は、二次元コード７１を含む画面７０の一例を示す図である。
【００５２】
図８に示す画面７０は、記憶部２８に記憶されているフォント２８ａを示すＷｅｂページ２８ｃのトップ画面５０のＵＲＬを示す二次元コード７１と、画面７０を閉じるためのボタン７２とを含んでいる。図８においては、二次元コード７１の一例として、ＱＲコード（登録商標）を示しているが、ＱＲコード以外の二次元コードであっても良い。
【００５３】
図７に示すように、アドレス情報表示手段２９ｃは、Ｓ１０１の処理の後、ボタン７２が押されたと判断するまで、ボタン７２が押されたか否かを判断する（Ｓ１０２）。
【００５４】
アドレス情報表示手段２９ｃは、ボタン７２が押されたとＳ１０２において判断すると、画面７０を閉じて元の画面、例えば、画面６０を表示して（Ｓ１０３）、図７に示す動作を終了する。
【００５５】
次に、ＭＦＰ２０の記憶部２８に記憶されているフォント２８ａを示すＷｅｂページ２８ｃを表示する場合の携帯機器３０の動作について説明する。
【００５６】
図９は、ＭＦＰ２０の記憶部２８に記憶されているフォント２８ａを示すＷｅｂページ２８ｃを表示する場合の携帯機器３０の動作のフローチャートである。
【００５７】
携帯機器３０のアドレス取得手段３７ａは、ＭＦＰ２０によって表示された二次元コード７１（図８参照。）がカメラ３３によって読み取られると、図９に示すように、二次元コード７１からＵＲＬを取得する（Ｓ１１１）。
【００５８】
次いで、アドレス取得手段３７ａは、携帯機器３０上のＷｅｂブラウザーを表示部３２に表示させた後（Ｓ１１２）、Ｓ１１１において取得したＵＲＬを図１０に示すようにＷｅｂブラウザーに表示させる（Ｓ１１３）。
【００５９】
携帯機器３０のＷｅｂページ表示手段３７ｂは、Ｓ１１３の処理の後、Ｓ１１３において表示されたＵＲＬへのアクセスが操作部３１を介して指示されたと判断するまで、Ｓ１１３において表示されたＵＲＬへのアクセスが操作部３１を介して指示されたか否かを判断する（Ｓ１１４）。
【００６０】
Ｗｅｂページ表示手段３７ｂは、表示されたＵＲＬへのアクセスが操作部３１を介して指示されたとＳ１１４において判断すると、携帯機器３０上のＷｅｂブラウザーによってＭＦＰ２０上のＷｅｂページ２８ｃのトップ画面５０（図３参照。）を表示する（Ｓ１１５）。利用者は、携帯機器３０上のＷｅｂブラウザーによって表示されるＷｅｂページ２８ｃを通じて、ＭＦＰ２０上のフォント情報データベース２８ｂにアクセスすることができる。
【００６１】
次いで、携帯機器３０の指示入力手段３７ｃは、操作部３１を介して入力された指示を判断する（Ｓ１１６）。
【００６２】
Ｗｅｂページ表示手段３７ｂは、何れかのフォントのフォント名の領域５１が押下されたとＳ１１６において判断されると、Ｗｅｂページ２８ｃのうち、フォント名の領域５１が押下されたフォントの情報を表示するためのページをＷｅｂブラウザーによって表示する（Ｓ１１７）。ここで、個々のフォントの情報を表示するためのＷｅｂページ２８ｃは、サポートしているシンボルセットなど、各フォントの情報と、現在のページを閉じるためのボタンとを含んでいる。
【００６３】
Ｗｅｂページ表示手段３７ｂは、Ｓ１１７の処理の後、Ｗｅｂページ２８ｃのうち、現在のページを閉じるためのボタンが押下されたと判断するまで、このボタンが押下されたか否かを判断する（Ｓ１１８）。
【００６４】
Ｗｅｂページ表示手段３７ｂは、Ｗｅｂページ２８ｃのうち、現在のページを閉じるためのボタンが押下されたとＳ１１８において判断すると、携帯機器３０上のＷｅｂブラウザーによってＭＦＰ２０上のＷｅｂページ２８ｃのトップ画面５０を表示する（Ｓ１１５）。
【００６５】
携帯機器３０のフォントダウンロード手段３７ｄは、何れかのフォントのダウンロードボタン５３が押下されたとＳ１１６において判断されると、ダウンロードボタン５３が押下されたフォントのダウンロードの開始をＭＦＰ２０に指示する（Ｓ１１９）。
【００６６】
次いで、フォントダウンロード手段３７ｄは、フォントのダウンロードの終了がＭＦＰ２０から通知されたか否かを判断する（Ｓ１２０）。
【００６７】
フォントダウンロード手段３７ｄは、フォントのダウンロードの終了がＭＦＰ２０から通知されていないとＳ１２０において判断すると、特定の時間が経過したか否かを判断する（Ｓ１２１）。
【００６８】
フォントダウンロード手段３７ｄは、特定の時間が経過していないとＳ１２１において判断すると、Ｓ１２０の処理を実行する。
【００６９】
Ｗｅｂページ表示手段３７ｂは、フォントのダウンロードの終了がＭＦＰ２０から通知されたとＳ１２０において判断されるか、特定の時間が経過したとＳ１２１において判断されると、携帯機器３０上のＷｅｂブラウザーによってＭＦＰ２０上のＷｅｂページ２８ｃのトップ画面５０を表示する（Ｓ１１５）。
【００７０】
Ｗｅｂページ表示手段３７ｂは、Ｗｅｂページ２８ｃを閉じるためのボタン５４が押下されたとＳ１１６において判断されると、携帯機器３０上のＷｅｂブラウザーによって表示しているＭＦＰ２０上のＷｅｂページ２８ｃを閉じて（Ｓ１２２）、図９に示す動作を終了する。
【００７１】
次に、携帯機器３０からフォントのダウンロードの開始が指示された場合のＭＦＰ２０の動作について説明する。
【００７２】
図１１は、携帯機器３０からフォントのダウンロードの開始が指示された場合のＭＦＰ２０の動作のフローチャートである。
【００７３】
ＭＦＰ２０の制御部２９は、Ｓ１１９において携帯機器３０からフォントのダウンロードの開始が指示されると、図１１に示すように、携帯機器３０からダウンロードの開始が指示されたフォントのダウンロードの命令を携帯機器３０を介してサーバー４０に送信して（Ｓ１３１）、図１１に示す動作を終了する。
【００７４】
次に、ＭＦＰ２０からフォントのダウンロードが命令された場合のサーバー４０の動作について説明する。
【００７５】
図１２は、ＭＦＰ２０からフォントのダウンロードが命令された場合のサーバー４０の動作のフローチャートである。
【００７６】
サーバー４０の制御部４５は、Ｓ１３１においてＭＦＰ２０からフォントのダウンロードが命令されると、図１２に示すように、記憶部４４に記憶しているフォント４４ａの中に、ＭＦＰ２０からダウンロードが命令されたフォントが存在するか否かを判断する（Ｓ１４１）。
【００７７】
制御部４５は、記憶部４４に記憶しているフォント４４ａの中に、ＭＦＰ２０からダウンロードが命令されたフォントが存在しないとＳ１４１において判断すると、エラーの発生を示すエラー用データを生成する（Ｓ１４２）。
【００７８】
制御部４５は、記憶部４４に記憶しているフォント４４ａの中に、ＭＦＰ２０からダウンロードが命令されたフォントが存在するとＳ１４１において判断すると、ＭＦＰ２０からダウンロードが命令されたフォント４４ａをダウンロードするためのダウンロードデータを生成する（Ｓ１４３）。
【００７９】
制御部４５は、Ｓ１４２またはＳ１４３の処理の後、Ｓ１４２またはＳ１４３において生成したデータを携帯機器３０を介してＭＦＰ２０に送信して（Ｓ１４４）、図１２に示す動作を終了する。
【００８０】
次に、サーバー４０から送信されたデータを受信した場合のＭＦＰ２０の動作について説明する。
【００８１】
図１３は、サーバー４０から送信されたデータを受信した場合のＭＦＰ２０の動作のフローチャートである。
【００８２】
ＭＦＰ２０の制御部２９は、Ｓ１４３においてサーバー４０から送信されたデータを受信すると、図１３に示すように、サーバー４０から受信したデータがダウンロードデータであるか否かを判断する（Ｓ１５１）。
【００８３】
ＭＦＰ２０のフォント記憶手段２９ａは、サーバー４０から受信したデータがダウンロードデータであるとＳ１５１において判断されると、サーバー４０から受信したダウンロードデータに含まれるフォントを新たなフォント２８ａとして記憶部２８に追加することを開始する（Ｓ１５２）。
【００８４】
次いで、フォント記憶手段２９ａは、サーバー４０から受信したダウンロードデータに含まれるフォントを新たなフォント２８ａとして記憶部２８に追加することが適切に完了したか否かを判断する（Ｓ１５３）。
【００８５】
フォント記憶手段２９ａは、サーバー４０から受信したダウンロードデータに含まれるフォントを新たなフォント２８ａとして記憶部２８に追加することが適切に完了したとＳ１５３において判断すると、サーバー４０から受信したダウンロードデータに含まれる情報に基づいてフォント情報データベース２８ｂを更新する（Ｓ１５４）。
【００８６】
次いで、ＭＦＰ２０のＷｅｂページ提供手段２９ｂは、Ｓ１５４において更新されたフォント情報データベース２８ｂに基づいてＷｅｂページ２８ｃを更新する（Ｓ１５５）。
【００８７】
次いで、ＭＦＰ２０の制御部２９は、フォントのダウンロードの終了を携帯機器３０に通知して（Ｓ１５６）、図１３に示す動作を終了する。
【００８８】
制御部２９は、サーバー４０から受信したデータがダウンロードデータではない、すなわち、エラー用データであるとＳ１５１において判断するか、サーバー４０から受信したダウンロードデータに含まれるフォントを新たなフォント２８ａとして記憶部２８に追加することが適切に完了しなかったとＳ１５３において判断されると、エラーの発生を表示部２２に表示して（Ｓ１５７）、図１３に示す動作を終了する。
【００８９】
以上に説明したように、画像形成システム１０は、携帯機器３０に入力された指示に応じて（Ｓ１１６でダウンロードボタンの押下）サーバー４０から携帯機器３０を介してＭＦＰ２０にフォント２８ａをダウンロードすることができるので、ＭＦＰ２０がサーバー４０と直接通信可能でなくてもサーバー４０からＭＦＰ２０にフォント２８ａをダウンロードすることができる。
【００９０】
なお、画像形成システム１０は、ＭＦＰ２０がサーバー４０と直接通信可能であっても良い。ＭＦＰ２０がサーバー４０と直接通信可能である場合、ＭＦＰ２０が携帯機器３０を介さずにサーバー４０からフォント２８ａをダウンロードしても良い。
【００９１】
画像形成システム１０は、本実施の形態においてＭＦＰ２０と、携帯機器３０とがＵＳＢケーブルを介して互いに通信可能に接続されている。しかしながら、ＭＦＰ２０と、携帯機器３０とは、ＵＳＢケーブル以外の仕組みによって互いに通信可能に接続されても良い。例えば、ＭＦＰ２０と、携帯機器３０とは、Ｗｉ−Ｆｉなどの無線通信によって互いに通信可能に接続されても良いし、ＬＡＮなどのネットワークを介して互いに通信可能に接続されても良い。
【００９２】
画像形成システム１０は、本実施の形態においてＷｅｂページ２８ｃのトップ画面５０のダウンロードボタン５３に対応するフォントをサーバー４０からＭＦＰ２０に１つずつダウンロードするようになっているが、Ｗｅｂページ２８ｃのトップ画面５０のダウンロードボタン５３に対応するフォントを複数選択した後、これらの複数のフォントを一度にサーバー４０からＭＦＰ２０にダウンロードするようになっていても良い。
【００９３】
画像形成システム１０は、複数のＭＦＰ２０を備えている場合、ＭＦＰ２０に記憶されるフォント２８ａがＭＦＰ２０毎に決定されることができる。したがって、例えば、ＭＦＰ２０に記憶されているフォント２８ａの数に応じてフォント２８ａの販売業者にロイヤリティを支払う場合、ロイヤリティの金額を抑えることができる。
【００９４】
画像形成システム１０は、ＭＦＰ２０の表示部２２の表示から携帯機器３０によって読み取られたＵＲＬに基づいてＷｅｂページ２８ｃを表示する（Ｓ１１１〜Ｓ１１５）ので、ＭＦＰ２０のＷｅｂページ２８ｃのＵＲＬを携帯機器３０に利用者が直接入力する必要がない。したがって、画像形成システム１０は、サーバー４０からＭＦＰ２０にフォント２８ａを容易にダウンロードすることができる。
【００９５】
なお、画像形成システム１０は、Ｗｅｂページ２８ｃのＵＲＬを示すアドレス情報として、二次元コード以外の方法が使用されても良い。例えば、Ｗｅｂページ２８ｃのＵＲＬを示すアドレス情報は、一次元コードで表示されても良いし、ＵＲＬの文字列そのもので表示されても良い。Ｗｅｂページ２８ｃのＵＲＬを示すアドレス情報がＵＲＬの文字列そのものである場合、画像形成システム１０は、ＭＦＰ２０の表示部２２によって表示されたＵＲＬの文字列をＯＣＲ（Ｏｐｔｉｃａｌ  Ｃｈａｒａｃｔｅｒ  Ｒｅｃｏｇｎｉｔｉｏｎ）技術を使用して携帯機器３０が取得するようになっていても良い。
【００９６】
画像形成システム１０は、本発明の電子機器が携帯機器であるので、複数のＭＦＰのそれぞれに対して携帯機器が移動させられることによって、複数のＭＦＰにサーバー４０からフォントを容易にダウンロードすることができる。
【００９７】
画像形成システム１０は、ＭＦＰ２０に記憶されているフォント２８ａの情報をＭＦＰ２０によって印刷することなく携帯機器３０の表示部３２の画面上で調べることができるので、記録媒体の消費を抑えることができる。
【００９８】
本発明の画像形成装置は、本実施の形態においてＭＦＰであるが、ＭＦＰ以外の画像形成装置であっても良い。例えば、本発明の画像形成装置は、プリンター専用機であっても良い。
【００９９】
本発明の電子機器は、本実施の形態において携帯機器であるが、携帯機器以外の電子機器であっても良い。例えば、本発明の電子機器は、ＰＣ（Ｐｅｒｓｏｎａｌ  Ｃｏｍｐｕｔｅｒ）であっても良い。
【符号の説明】
【０１００】
１０  画像形成システム
２０  ＭＦＰ（画像形成装置）
２８ａ  フォント
２８ｃ  Ｗｅｂページ
２９ａ  フォント記憶手段
２９ｂ  Ｗｅｂページ提供手段
２９ｃ  アドレス情報表示手段
３０  携帯機器（電子機器）
３７ａ  アドレス取得手段
３７ｂ  Ｗｅｂページ表示手段
３７ｃ  指示入力手段
３７ｄ  フォントダウンロード手段
４０  サーバー
４４ａ  フォント
５３  ダウンロードボタン（指示受付部）
【図１】
2017084053.tif 000003
【図２】
2017084053.tif 000004
【図３】
2017084053.tif 000005
【図４】
2017084053.tif 000006
【図５】
2017084053.tif 000007
【図６】
2017084053.tif 000008
【図７】
2017084053.tif 000009
【図８】
2017084053.tif 000010
【図９】
2017084053.tif 000011
【図１０】
2017084053.tif 000012
【図１１】
2017084053.tif 000013
【図１２】
2017084053.tif 000014
【図１３】
2017084053.tif 000015